(57)【要約】      （修正有）【課題】室外熱交換器での冷媒を分散して均一化を図り、熱交換効率の向上をはかる。【解決手段】第１分岐管１８から流入した冷媒は第１と第２配管１９，２０により上下に分流され、第１配管により上部に流れた冷媒は第２分岐管２１に接続され、近接する上下２方向の風下側伝熱管１７に分流して冷媒を流し、風下側伝熱管を経由し、風上側伝熱管１６に移動し風上側伝熱管に備えた第３分岐管２２に合流し、第３配管２３を通って風上側伝熱管１６に移動後第４配管２４から第４分岐管２５に到る、第２配管により下部に流れた冷媒は第５分岐管２６に接続され、近接する上下２方向の風下側伝熱管に分流した後、風上側伝熱管に移動し風上側伝熱管に備えた第６分岐管２７にて合流し、第５配管２８を経由し熱交換器中央部の風下側伝熱管に流れ、風上側伝熱管に移動後第６配管２９から第４分岐管に到り第４配管側の冷媒と合流する。【選択図】図２
2015108495.tif 000002
【特許請求の範囲】
【請求項１】
圧縮機と四方弁、室外熱交換器等を備えた室外機と室内機とを冷媒配管で接続した空気調和機に於いて、前記室外熱交換器は水平かつ平行で多数の風上側伝熱管と風下側伝熱管が多数のフィンを貫通して設けられ、前記熱交換器は風の下流側に第１分岐管を備え、冷房運転時この第１分岐管から流入した冷媒は第１配管と第２配管によって上下に分流され、第１配管によって熱交換器上部に流れた冷媒は第２分岐管に接続され、この第２分岐管に近接する上下２方向の風下側伝熱管に分流して冷媒を流した後、多数の風下側伝熱管を経由した後、風上側伝熱管に移動し風上側伝熱管に備えた第３分岐管にて合流し、第３配管を通って熱交換器最下部の風下側伝熱管に流れ、風上側伝熱管に移動後第４配管から第４分岐管に到る、一方前記第２配管によって熱交換器下部に流れた冷媒は第５分岐管に接続され、この第５分岐管に近接する上下２方向の風下側伝熱管に分流して冷媒を流した後、多数の風下側伝熱管を流れた後、風上側伝熱管に移動し風上側伝熱管に備えた第６分岐管にて合流し、第５配管を経由して熱交換器上部と熱交換器下部の間に位置する熱交換器中央部の風下側伝熱管に流れ、風上側伝熱管に移動後第６配管から前記第４分岐管に到り第４配管側の冷媒と合流して冷媒を排出することを特徴とする空気調和機。
【発明の詳細な説明】
【技術分野】
【０００１】
この発明は、一般家庭用で使用する小型の空気調和機に関するものである。
【背景技術】
【０００２】
従来例として、圧縮機及び熱交換器を備えた室外ユニットと室内ユニットとを冷媒配管でつないだ空気調和機において、前記熱交換器は、風の後流側に冷媒入口として第１分岐管が配置され、隣接する２つの伝熱管に第１分岐管により冷媒が分流されて２つのサーキットとして冷媒を流し、２つのサーキットの隣接する２つの伝熱管を第２分岐管で合流させたのち、第２分岐管を長配管により熱交換器下部の後流側の伝熱管に接続させて熱交換器前流側最下端より冷媒を排出させるようにしたので、冷媒は、第１分岐管で隣接する２つの伝熱管に分岐されて２つのサーキットに流されて長い配管が不要になり、熱交換器の効率を向上させることが可能となる。また、２つのサーキットを第１分岐管で合流させて、風の後流側の伝熱管に接続しているので、冷媒の流れをカウンターフローにすることができ、熱交換器の効率を好ましい状態にすることができるものだった。（例えば、特許文献１参照）
【先行技術文献】
【特許文献】
【０００３】
【特許文献１】特開平１１−２３０６３７号公報
【発明の概要】
【発明が解決しようとする課題】
【０００４】
近年、地球温暖化問題が顕著化になり、あらゆる分野でエネルギー効率向上の試みが行われており、空気調和機の熱交換器でも更なる一層の熱交換効率の向上が必要である。
【課題を解決するための手段】
【０００５】
この発明はこの点に着目し上記欠点を解決する為、特にその構成を、圧縮機と四方弁、熱交換器等を備えた室外機と室内機とを冷媒配管で接続した空気調和機に於いて、前記熱交換器は水平かつ平行で多数の風上側伝熱管と風下側伝熱管が多数のフィンを貫通して設けられ、前記熱交換器は、風の下流側に第１分岐管を備え、冷房運転時この第１分岐管から流入した冷媒は第１配管と第２配管によって上下に分流され、第１配管によって熱交換器上部に流れた冷媒は第２分岐管に接続され、この第２分岐管に近接する上下２方向の風下側伝熱管に分流して冷媒を流した後、多数の風下側伝熱管を経由した後、風上側伝熱管に移動し風上側伝熱管に備えた第３分岐管にて合流し、第３配管を通って熱交換器最下部の風下側伝熱管に流れ、風上側伝熱管に移動後第４配管から第４分岐管に到る、一方前記第２配管によって熱交換器下部に流れた冷媒は第５分岐管に接続され、この第５分岐管に近接する上下２方向の風下側伝熱管に分流して冷媒を流した後、多数の風下側伝熱管を流れた後、風上側伝熱管に移動し風上側伝熱管に備えた第６分岐管にて合流し、第５配管を経由して熱交換器上部と熱交換器下部の間に位置する熱交換器中央部の風下側伝熱管に流れ、風上側伝熱管に移動後第６配管から前記第４分岐管に到り第４配管側の冷媒と合流して冷媒を排出するようにしたものである。
【発明の効果】
【０００６】
この発明によれば、冷媒を熱交換器内に分散して均一に流すことで過冷却度を均一にして熱交換器の効率を向上し、冷房運転の性能を向上させることができる。
【図面の簡単な説明】
【０００７】
【図１】この発明一実施例の概略構成図。
【図２】同熱交換器の側面方向の断面図。
【発明を実施するための形態】
【０００８】
次にこの発明の一実施形態を図面に基づき説明する。
１は屋外に設置される空気調和機の室外機で、室内に設置される室内機２と冷媒配管３で接続される。この空気調和機は、インバータ制御により回転数可変の圧縮機３と、四方弁５と、室外熱交換器６と、膨張弁７と、室内熱交換器８とが順次接続され冷凍回路を形成するものである。
【０００９】
前記室外熱交換器６には、この室外熱交換器６の能力を調整するための室外ファン（プロペラファン）９が付設され、この室外ファンは室外モータ１０にて駆動されるもので、交流電源を使用する安価なＡＣモータを使用することによってコストダウンを行うものであり、供給する交流電源のパルスを操作するサイクル制御によって室外モータ１０の回転数をコントロールするものである。
【００１０】
前記室内熱交換器８には、この室内熱交換器８の能力を調整するための室内ファン１１が付設されている。更に、この空気調和機は前記圧縮機４の吐出温度を検出する吐出温度と、外気温度と、室内熱交換器温度とを検出するセンサー類（図示せず）を備える。
【００１１】
１２は室内制御部で、内部に備えたマイコンの機能として能力制御手段（図示せず）を備え、この能力制御手段は室内ファン１１の風量を増減させる室内ファン制御、圧縮機４の能力を増減させる圧縮機能力制御等を行うものである。
【００１２】
室外機１内には室外制御部１３を備え、内部に備えたマイコンの機能として吐出温度と凝縮温度を検知して、予め設定された目標吐出温度や凝縮温度に近づけるように室外ファン９の回転を制御するものである。
【００１３】
前記室外熱交換器６は多数の薄板状のアルミニュームフィン１４を銅管製の伝熱管１５が貫通して形成されるフィンチューブ式の熱交換器で、前記伝熱管１５は垂直方向に等間隔で２４本が水平方向に延びる風上側伝熱管１６と、この風上側伝熱管１６と平行で千鳥足状に位置する２４本の風下側伝熱管１７で形成されいる。
【００１４】
前記室外熱交換器６は風の下流側で上下方向の略中央に第１分岐管１８を備え、冷房運転時に圧縮機４から送られた高温で高圧の冷媒が第１分岐管１８から流入し、冷媒は第１配管１９と第２配管２０によって上下に分流され、第１配管１９から室外熱交換器上部６ａに流れた冷媒は第２分岐管２１に接続される。
【００１５】
前記第２分岐管２１は上から４段目と５段目の近接する風下側伝熱管１７に接続され上下２方向に分流して冷媒を流した後、上側に流れた冷媒は４本の風下側伝熱管１７を通過した後、風上側伝熱管１６の最上段から風上側伝熱管１６の６段目に到る。一方下側に流れた冷媒は６本の風下側伝熱管１７を通過した後、風上側伝熱管１６の１０段目に移動し上方向に７段目に到り、上下の冷媒が風上側伝熱管１６の６段目と７段目に接続された第３分岐管２２で合流する。
【００１６】
前記第３分岐管２２で合流した冷媒は第３配管２３によって熱交換器最下部６ｂの風下側伝熱管１７の下から２段目に流れ、風下側伝熱管１７の最下段を通って風上側伝熱管１６の最下段に移動後、下から２段目から第４配管２４を経由して第４分岐管２５に到る。
【００１７】
前記第２配管２０によって熱交換器下部６ｃに流れた冷媒は第５分岐管２６に接続され、この第５分岐管２６は上から１４段目と１５段目の近接する風下側伝熱管１７に接続され上下２方向に分流して冷媒を流した後、上側に流れた冷媒は２本の風下側伝熱管１７を通過した後、風上側伝熱管１６の１３段目から風上側伝熱管１６の２０段目に到る。一方下側に流れた冷媒は８本の風下側伝熱管１７を通過した後、風上側伝熱管１６の２２段目に移動し上方向に２１段目に到り、上下の冷媒が風上側伝熱管１６の２０段目と２１段目に接続された第６分岐管２７で合流する。
【００１８】
前記第６分岐管２７で合流した冷媒は第５配管２８によって熱交換器中央部６ｄの風下側伝熱管１７の上から１１段目に流れ、風下側伝熱管１７の１２段目を通って風上側伝熱管１６の上から１２段目に移動後、上から１１段目から第６配管２９を経由して第４分岐管２５に到り、第４配管２４側の冷媒と合流して冷媒を排出する。
【００１９】
暖房運転時には前記四方弁５の切換により、室外熱交換器６の冷媒の流れる方向は冷房運転時とは逆になるものであるが、暖房運転中の除霜運転では冷媒の冷媒の流れる方向は冷房運転と同じ方向になり、除霜運転では比較的温度の高い冷媒を熱交換器最下部６ｂに流すことで除霜運転終了時の融け残りを防止するものである。
【００２０】
このように、室外熱交換器６の冷媒経路を熱交換器上部６ａと熱交換器中央部６ｄ、熱交換器下部６ｃ、熱交換器最下部６ｂに分けて、冷媒循環量を調整することで、冷媒を熱交換器６内に分散して均一に流すことができ、過冷却度を均一にして熱交換器の効率を向上し、冷房運転の性能を向上させることができる。
また、暖房運転中の除霜運転では比較的温度の高い冷媒を熱交換器最下部６ｂに流すことで除霜運転終了時の融け残りを防止するものである。
【符号の説明】
【００２１】
１  室外機
２  室内機
４  圧縮機
６  室外熱交換器
６ａ  熱交換器上部
６ｂ  熱交換器最下部
６ｃ  熱交換器下部
６ｄ  熱交換器中央部
１２  フィン
１６  風上側伝熱管
１７  風下側伝熱管
【図１】
2015108495.tif 000003
【図２】
2015108495.tif 000004